(57)【特許請求の範囲】
【請求項１】
像担持体と、
該像担持体を一様に帯電させる帯電手段と、
該帯電手段によって帯電した前記像担持体を露光して潜像を形成する露光手段と、
前記像担持体の電位を検知する電位検知手段と、を備え、
目標暗部電位が互いに異なる第一の画像形成モードと第二の画像形成モードとにより画像形成可能であって、
予め設定されたタイミングにおいて、前記検知手段の検知結果に基づいて第一の画像形成モードにおける前記帯電手段による帯電量を調整し、前記調整された帯電量に対して補正定数を用いて演算することによって、前記第二の画像形成モードにおける前記帯電手段による帯電量を算出して調整する調整モードを実行可能な画像形成装置において、
前記帯電手段によって前記像担持体を帯電することにより形成された暗部電位を前記検知手段により検知し、該検知された電位に基づいて前記第一の画像形成モードの目標暗部電位が得られるように調整された前記帯電手段の第１の帯電量と、前記帯電手段によって前記像担持体を帯電することにより形成された暗部電位を前記検知手段により検知し、該検知された電位に基づいて第二の画像形成モードの目標暗部電位が得られるように調整された前記帯電手段の第２の帯電量と、の比率を前記補正定数に設定する設定手段を有する
ことを特徴とする画像形成装置。
【請求項２】
前記帯電量は前記帯電手段に印加する電圧または電流によって変更されることを特徴とする請求項１記載の画像形成装置。
【請求項３】
前記調整モードによる調整頻度が前記設定手段による前記補正定数の設定頻度より多いことを特徴とする請求項１または２記載の画像形成装置。
【請求項４】
前記装置への電源投入直後において、前記検知手段の検知結果に基づいて第一の画像形成モードにおける前記帯電手段による帯電量が調整され、前記検知手段の検知結果に基づいて第二の画像形成モードにおける前記帯電手段による帯電量が調整されるとともに各画像形成モードで調整された前記帯電手段の帯電量の比率により前記設定手段にて前記補正係数が設定され、前記電源投入されてから設定時間経過後において、前記検知手段の検知
結果に基づいて第一の画像形成モードにおける前記帯電手段による帯電量が調整され、前記第二の画像形成モードにおける前記帯電手段による帯電量は前記設定手段が電源投入直後に設定した補正定数を用いて演算して得られることを特徴とする請求項１乃至３のいずれか１項記載の画像形成装置。
【請求項５】
前記像担持体上に形成された画像を記録材に定着する定着手段を有し、前記定着手段の温度に基づいて、前記設定手段にて前記補正係数を設定することなく、前回設定された前記補正定数にて前記調整モードを実行することを特徴とする請求項４記載の画像形成装置。
【請求項６】
像担持体と、
該像担持体を一様に帯電させる帯電手段と、
該帯電手段によって帯電した前記像担持体を露光して潜像を形成する露光手段と、
前記像担持体の電位を検知する電位検知手段と、を備え、
目標暗部電位および目標明部電位の少なくとも一方が互いに異なる第一の画像形成モードと第二の画像形成モードとによって画像形成可能であり、予め設定されたタイミングにおいて、前記電位検知手段に基づいて前記第一の画像形成モードでの前記露光手段による露光量を調整し、前記調整された露光量に対して補正定数を用いて演算することによって、前記第二の画像形成モードにおける露光量を算出することによって調整する調整モードを実行可能な画像形成装置において、
前記第一の画像形成モードの目標暗部電位が得られるように前記帯電手段により前記像担持体の表面を帯電し、前記帯電された前記像担持体の表面を前記露光手段により露光し、該露光された前記像担持体の電位を前記検知手段により検知し、該検知された電位に基づいて第一の画像形成モードの明部電位が得られるように調整された前記露光手段の第１の露光量と、前記第二の画像形成モードの目標暗部電位が得られるように前記帯電手段により前記像担持体の表面を帯電し、前記帯電された前記像担持体の表面を前記露光手段により露光し、該露光された前記像担持体の電位を前記検知手段により検知し、該検知された電位に基づいて第二の画像形成モードの明部電位が得られるように調整された前記露光手段の第２の露光量と、の比率を前記補正定数に設定する設定手段を有する
ことを特徴とする画像形成装置。
【請求項７】
前記露光量は、前記露光手段に印加する電圧、電流または制御データ値によって変更されることを特徴とする請求項６記載の画像形成装置。
【請求項８】
前記調整モードによる調整頻度が前記設定手段による前記補正定数の設定頻度より多いことを特徴とする請求項６または７記載の画像形成装置。
【請求項９】
前記装置への電源投入直後において、前記検知手段の検知結果に基づいて第一の画像形成モードにおける前記帯電手段による帯電量が調整され、前記検知手段の検知結果に基づいて第二の画像形成モードにおける前記帯電手段による帯電量が調整されるとともに各画像形成モードで調整された前記帯電手段の帯電量の比率により前記設定手段にて前記補正係数が設定され、前記電源投入されてから設定時間経過後において、前記検知手段の検知結果に基づいて第一の画像形成モードにおける前記帯電手段による帯電量が調整され、前記第二の画像形成モードにおける前記帯電手段による帯電量は前記設定手段が電源投入直後に設定した補正定数を用いて演算して得られることを特徴とする請求項６乃至８のいずれか１項記載の画像形成装置。
【請求項１０】
前記像担持体上に形成された画像を記録材に定着する定着手段を有し、前記定着手段の温度に基づいて、前記設定手段にて前記補正係数を設定することなく、前回設定された前記補正定数にて前記調整モードを実行することを特徴とする請求項９記載の画像形成装置
。
【発明の詳細な説明】
【０００１】
【発明の属する技術分野】
本発明は、異なる帯電量、露光量、又は現像電位を有する複数の画像モードを備える画像形成装置に関するものである。
【０００２】
【従来の技術】
従来、像担持体としての電子写真感光体上の暗部電位及び明部電位を測定する電位センサと呼ばれる電位検知手段を利用して、暗部電位及び明部電位を所望の電位とする技術が広く実施されている。
【０００３】
ここで、文字や写真モードといった画作りの違いや、コピーやプリンタモードによる画作りの違いや、トナー削減モードや、通紙する紙種による違いを画像として表現するために、前記の暗部電位や明部電位のうち少なくとも一方を複数種類有する技術（画像モードという）がある。
【０００４】
例えば、文字モードではコピー画像がしっかりとしたコントラストが得られるように、高い暗部電位を必要とするのに対して、写真モードでは、コントラストよりも階調性が重視されるため、低めの暗部電位でかまわない場合があり、このような要求に対して二つの暗部電位を得られるように、帯電手段には２種類の帯電量が選択的に印加されるような制御（画像モード制御）を用いることがある。
【０００５】
さらに画作りの一つの手段として、現像手段に印加する現像電位についても複数有する技術もあり、所望の画像が得られるよう、帯電量、露光量、及び現像電位の３つをそれぞれ複数種類具備する場合もある。
【０００６】
これらによる画像モードの調整は、画像形成装置本体を立ち上げた場合や、所定枚数又は所定時間経過後に実行し、常に所望の画像が得られるように帯電量、露光量、及び現像電位が調整される。
【０００７】
【発明が解決しようとする課題】
しかしながら、上記のような帯電量、露光量、及び現像電位を複数種類有する場合には、その画像モードの調整時間がどうしても長くかかることになる。調整時間はユーザにとっては待ち時間であり、画像の出力前に待たされた場合にはプロダクティビティを低下させる要因となっていた。
【０００８】
画像形成装置により比較的時間がとれる場合、例えば、画像形成装置の立ち上げ中は、電子写真式の画像形成装置には、紙に現像トナーを固着させる目的で定着手段に熱を付与する構成となっているが、この定着手段の加熱昇温中に画像モード制御することが可能な場合が多い。この場合は待ち時間を増やすことはない。
【０００９】
しかし、所定枚数又は所定時間経過後に上記調整を実行する場合には、実行するために多くの時間を必要とするため、プロダクティビティを低下することになっていた。
【００１０】
本発明は上記の従来技術の課題を解決するためになされたもので、その目的とするところは、プロダクティビティを低下することなく画像モードの調整を行う信頼性に優れた画像形成装置を提供することにある。
【００１１】
【課題を解決するための手段】
本発明の第１の発明は、
像担持体と、
該像担持体を一様に帯電させる帯電手段と、
該帯電手段によって帯電した前記像担持体を露光して潜像を形成する露光手段と、
前記像担持体の電位を検知する電位検知手段と、を備え、
目標暗部電位が互いに異なる第一の画像形成モードと第二の画像形成モードとにより画像形成可能であって、
予め設定されたタイミングにおいて、前記検知手段の検知結果に基づいて第一の画像形成モードにおける前記帯電手段による帯電量を調整し、前記調整された帯電量に対して補正定数を用いて演算することによって、前記第二の画像形成モードにおける前記帯電手段による帯電量を算出して調整する調整モードを実行可能な画像形成装置において、
前記帯電手段によって前記像担持体を帯電することにより形成された暗部電位を前記検知手段により検知し、該検知された電位に基づいて前記第一の画像形成モードの目標暗部電位が得られるように調整された前記帯電手段の第１の帯電量と、前記帯電手段によって前記像担持体を帯電することにより形成された暗部電位を前記検知手段により検知し、該検知された電位に基づいて第二の画像形成モードの目標暗部電位が得られるように調整された前記帯電手段の第２の帯電量と、の比率を前記補正定数に設定する設定手段を有することを特徴とする。
【００１２】
したがって、一つの画像モードの調整には実際の調整時間がかかるが、残りの画像モードの調整には時間がかからず、プロダクティビティを低下することなく画像モードの調整を行うことができる。
【００１５】
本発明の第２の発明は、
像担持体と、
該像担持体を一様に帯電させる帯電手段と、
該帯電手段によって帯電した前記像担持体を露光して潜像を形成する露光手段と、
前記像担持体の電位を検知する電位検知手段と、を備え、
目標暗部電位および目標明部電位の少なくとも一方が互いに異なる第一の画像形成モードと第二の画像形成モードとによって画像形成可能であり、予め設定されたタイミングにおいて、前記電位検知手段に基づいて前記第一の画像形成モードでの前記露光手段による露光量を調整し、前記調整された露光量に対して補正定数を用いて演算することによって、前記第二の画像形成モードにおける露光量を算出することによって調整する調整モードを実行可能な画像形成装置において、
前記第一の画像形成モードの目標暗部電位が得られるように前記帯電手段により前記像担持体の表面を帯電し、前記帯電された前記像担持体の表面を前記露光手段により露光し、該露光された前記像担持体の電位を前記検知手段により検知し、該検知された電位に基づいて第一の画像形成モードの明部電位が得られるように調整された前記露光手段の第１の露光量と、前記第二の画像形成モードの目標暗部電位が得られるように前記帯電手段に
より前記像担持体の表面を帯電し、前記帯電された前記像担持体の表面を前記露光手段により露光し、該露光された前記像担持体の電位を前記検知手段により検知し、該検知された電位に基づいて第二の画像形成モードの明部電位が得られるように調整された前記露光手段の第２の露光量と、の比率を前記補正定数に設定する設定手段を有することを特徴とする。
【００１６】
これにより、一つの画像モードの調整には実際の調整時間がかかるが、残りの画像モードの調整には一つの画像モードの調整時に得た帯電量と露光量の内少なくとも一方を画像モード演算値でで演算する演算時間だけがかかるので、残りの画像モードを高精度かつ短時間で調整でき、プロダクティビティを低下することなく画像モードの調整を行うことができる。
【００１９】
前記帯電手段の帯電量又は前記露光手段の露光量は、印加する電圧、電流量、又は制御データ値によって変更されることが良好である。
【００２０】
これにより、帯電量又は露光量を変更することができる。
【００２１】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２２】
（第１の実施の形態）
図１〜図８を参照して、第１の実施の形態について説明する。図１に、本実施の形態にかかる画像形成装置の一例としての複写機の概略を図示する。
【００２３】
この複写機は、装置本体１のほぼ中央に、像担持体としての電子写真感光体として円筒状の感光ドラム２を備えている。
【００２４】
感光ドラム２は、装置本体１によって矢印Ｒ１方向に回転自在に支持されており、感光ドラム２の周囲には、その回転方向に沿って順に、感光ドラム２上の電位を消去する除電器３、感光ドラム２表面を一様に帯電する帯電手段として一次帯電器４、感光ドラム２表面を露光して静電潜像を形成する露光手段５、露光後の感光ドラム２上の電位を測定する電位検知手段としての電位センサ６、静電潜像に現像剤としてのトナーを付着させてトナー像を形成する現像手段としての現像器７、転写材Ｐ上にトナー像を転写する転写帯電器８、転写材Ｐを感光ドラムから分離する分離帯電器９、感光ドラム２上の残留トナーを除去するクリーナ１０が配置されている。
【００２５】
トナー像の転写先となる転写材Ｐは、給紙デッキ１１から供給される。感光ドラム２の下方、つまり装置本体１内側の下部には、転写材Ｐを収納する給紙デッキ１１が配置されている。
【００２６】
給紙デッキ１１内の転写材Ｐは、給紙ローラ１２によって給紙され、搬送ローラ１３、レジストローラ１５を介して、感光ドラム２と転写帯電器８との間に供給される。転写材Ｐは、ここで感光ドラム２からトナー像を転写され、搬送ベルト１６によって、定着器１７に搬送される。
【００２７】
定着器１７で付与される熱及び圧力によりトナー像が固着された転写材Ｐは、最終的なコピーとして、排紙ローラ１９によって排紙トレイ２０上に排紙される。
【００２８】
上述の複写機においては、露光手段６は、プラテンガラス２１上に載置された原稿を原稿照明ランプ２２と反射板２３とにより照明し、原稿画像からの反射光を、ミラー２５ａ，２５ｂ，２５ｃでさらに反射させ、拡大縮小レンズ２６を通過させた後、投影ミラー２７を介して感光ドラム２表面に導く。
【００２９】
これにより、一様に帯電されている感光ドラム２表面を露光し、原稿画像に対応した静電潜像を感光ドラム２上に形成するようになっている。
【００３０】
なお、感光ドラム２ヘの露光量を調節するために、プラテンガラス２１脇には、標準白色板２８が設置され、原稿照明ランプ２２がこれを照らし感光ドラム２上に明部電位を形成することが可能な構成となっている。当然、原稿照明ランプ２２を消灯した状態で一次帯電を行うことで暗部電位を形成することも可能である。
【００３１】
図２は、感光ドラム２上の電位を測定するための制御基板周辺の電気構成を概略説明する図である。図２において、制御基板内には制御プログラムの記述されたＲＯＭと、プログラム上の必要データの一時記憶素子であるＲＡＭと、が処理の中心素子であるＣＰＵに接続されている。
【００３２】
またインターフェイス素子であるＩ／Ｏと、データの変換素子であるＡ／Ｄ変換器及びＤ／Ａ変換器が外部の周辺機器と接続され、制御基板へ情報が入出力される。そして本実施の形態の周辺機器として、電位センサ６が帯電及び露光後の感光ドラム２上電位を測定することが可能となっている。
【００３３】
そして、電位センサ６の検知結果から一次帯電器４の印加電圧と原稿照明ランプ２２の印加電圧とを制御することが可能となっている。
【００３４】
図３は感光ドラム２上の設定電位を２種類有する場合を模式的に表わしたものである。２種類の設定電位は２通りの画像モードを示し、文字モード（添え字ｔｘ）と写真モード（添え字ｐｈ）を有している。
【００３５】
この場合、暗部電位ＶＤｔｘ及びＶＤｐｈは原稿照明ランプ２２を消灯した状態、略同等として原稿が黒色の場合を示している。
【００３６】
明部電位ＶＬｔｘ及びＶＬｐｈは白地原稿、略同等として、標準白色板２８を照明した場合を示している。
【００３７】
文字モードは、文字原稿や線画を主体とした画像を想定しており、画像自身の高いコントラストが要求される。そのため、暗部電位ＶＤｔｘは４５０Ｖと比較的高めの設定目標にしている。
【００３８】
写真モードは、コントラストよりも階調性が重要である。そのため、暗部電位ＶＤｐｈは文字モードよりも低い３５０Ｖを設定目標としている。
【００３９】
どちらの画像モードについても明部電位ＶＬｔｘ及びＶＬｐｈは５０Ｖを設定目標としている。画像モードにより暗部電位が異なるので、当然のごとく帯電量はそれぞれ異なり、そのため明部電位が同じでも必要な露光量はそれぞれ異なることになる。
【００４０】
図３に示したような感光ドラム２上の電位の設定目標を得るための電位制御（画像モード制御）を通常、画像形成装置の電源立ち上げ後や所定時間経過後あるいは所定枚数通紙後に実行することにより、画像出力時の帯電量と露光量を決定する。
【００４１】
図４は、従来例における電位制御（画像モード制御）シーケンスのフローチャートである。まず、原稿照明ランプ２２を消灯し、一次帯電器４に所定の電圧を印加して初期の暗部電位ＶＤｔｘを作る（ｍ１）。
【００４２】
初期の印加電圧は所定値でもよいし、前回制御時の電圧値でもよい。この暗部電位ＶＤｔｘを一次帯電器の感光ドラム下流側にある電位センサ６で測定し（ｍ２）、図３に示したような目標の暗部電位ＶＤｔｘである４５０Ｖ±３Ｖになったかを確認する（ｍ３）。４５０Ｖ±３Ｖの範囲になければ、一次帯電器４の印加電圧を増減して（ｍ４）、再度暗部電位ＶＤｔｘが目標電位になるように追い込む。
【００４３】
通常一次帯電器４の初期の印加電圧は前回の電圧値を用いるとシーケンスの追い込みにおける収束性は向上するが、感光ドラム２の環境特性や周方向ムラにより、２〜３回程度印加電圧を増減しなければならないことが経験上分かっている。
【００４４】
次に上記シーケンスで追い込まれた一次帯電器４の印加電圧にて感光ドラム２を帯電しながら、原稿照明ランプ２２を標準白色板２８に照らし、感光ドラム２上に明部電位ＶＬｔｘを作成する（ｍ５）。
【００４５】
この時の原稿照明ランプ２２に印加する電圧も所定値でもよいし、前回制御時の電圧値でもよい。この明部電位ＶＬｔｘを電位センサ６で測定し（ｍ６）、図３に示したような目標の明部電位ＶＬｔｘである５０Ｖ±３Ｖになったかを確認する（ｍ７）。
【００４６】
５０Ｖ±３Ｖの範囲になければ、原稿照明ランプ２２の印加電圧を増減して（ｍ８）、再度明部電位ＶＬｔｘが目標電位になるように追い込む。
【００４７】
明部電位ＶＬｔｘについても、通常２〜３回程度、印加電圧を増減しなければならないことが経験上分かっている。
【００４８】
続いて、写真モード用の帯電量及び露光量を調整しなければならない。まず、原稿照明ランプ２２を消灯し、一次帯電器４に所定の電圧を印加して初期の暗部電位ＶＤｐｈを作る（ｍ１１）。
【００４９】
初期の印加電圧は所定値でもよいし、前回制御時の電圧値でもよい。この暗部電位ＶＤｐｈを一次帯電器４の感光ドラム２下流側にある電位センサ６で測定し（ｍ１２）、図３に示したような目標の暗部電位ＶＤｐｈである３５０Ｖ±３Ｖになったかを確認する（ｍ１３）。
【００５０】
３５０Ｖ±３Ｖの範囲になければ、一次帯電器４の印加電圧を増減して（ｍ１４）、再度暗部電位ＶＤｐｈが目標電位になるように追い込む。
【００５１】
さらに上記シーケンスで追い込まれた一次帯電器４の印加電圧にて感光ドラム２を帯電しながら、原稿照明ランプ２２を標準白色板２８に照らし、感光ドラム２上に明部電位ＶＬｐｈを作成する（ｍ１５）。この時の原稿照明ランプ２２に印加する電圧も所定値でもよいし、前回制御時の電圧値でもよい。
【００５２】
この明部電位ＶＬｐｈを電位センサ６で測定し（ｍ１６）、図３に示したような目標の明部電位ＶＬｐｈである５０Ｖ±３Ｖになったかを確認する（ｍ１７）。
【００５３】
５０Ｖ±３Ｖの範囲になければ、原稿照明ランプ２２の印加電圧を増減して（ｍ１８）、再度明部電位ＶＬｐｈが目標電位になるように追い込む。
【００５４】
写真モードについても暗部電位ＶＤｐｈ及び明部電位ＶＬｐｈを最適化するためにそれぞれ２〜３回程度、帯電量及び露光量の調整を必要とする。
【００５５】
ところで、ここで説明している従来例及び後述の本実施の形態における感光ドラム２の外径はφ８０ｍｍのアモルフアスシリコンドラムであり、感光ドラム２の回転スピード（いわゆるプロセススピード）は２４０ｍｍ／ｓとしており、感光ドラム２は約１秒で１回転する構成である。
【００５６】
また、感光ドラム２の周方向の電位ムラによる電位センサ６の検知誤差を抑制するために、感光ドラム２を周方向一周分につき約４５°おきに８点のサンプリングを実行し、８点平均して１つの電位データとしている。
【００５７】
前述のように従来例では、１種類の暗部電位ＶＤ及び１種類の明部電位ＶＬを得るために約５回前後の検知回数を必要とするため、５秒前後の検知時間を必要とする。即ち、文字モードと写真モードの両方の画像モードにおいて、全ての電位を最適化するためには約１０秒前後の検知時間が必要となる。
【００５８】
上記の電位制御（画像モード制御）は、画像形成装置本体１の電源が投入された場合や、所定時間後（ここでは電源投入後１０分及び６０分後）の画像出力直前に実行される。
【００５９】
電源投入時は画像形成装置における定着器１７の加熱時間が数十秒単位又は数分単位必要なため、十分電位制御を実行できるだけの時間がある。しかし、所定時間後における電位制御は、時間経過後の画像出力直前に実行するため、このときの画像出力の出力時間が約１０秒遅くなってしまう。
【００６０】
そこで、本実施の形態では、図５に示すような画像モード制御手段としての電位制御シーケンスとしている。まず、原稿照明ランプ２２を消灯し、一次帯電器４に所定の電圧を印加して初期の暗部電位ＶＤｔｘを作る（ｎ１）。
【００６１】
初期の印加電圧は所定値でもよいし、前回制御時の電圧値でもよい。この暗部電位ＶＤｔｘを一次帯電器４の感光ドラム２下流側にある電位センサ６で測定し（ｎ２）、図３に示したような目標の暗部電位ＶＤｔｘである４５０Ｖ±３Ｖになったかを確認する（ｎ３）。
【００６２】
４５０Ｖ±３Ｖの範囲になければ、一次帯電器４の印加電圧を増減して（ｎ４）、再度暗部電位ＶＤｔｘが目標電位になるように追い込む。
【００６３】
次に上記シーケンスで追い込まれた一次帯電器４の印加電圧にて感光ドラム２を帯電しながら、原稿照明ランプ２２を標準白色板２８に照らし、感光ドラム２上に明部電位ＶＬｔｘを作成する（ｎ５）。この時の原稿照明ランプ２２に印加する電圧も所定値でもよいし、前回制御時の電圧値でもよい。
【００６４】
この明部電位ＶＬｔｘを電位センサ６で測定し（ｎ６）、図３に示したような目標の明部電位ＶＬｔｘである５０Ｖ±３Ｖになったかを確認する（ｎ７）。
【００６５】
５０Ｖ±３Ｖの範囲になければ、、原稿照明ランプ２２の印加電圧を増減して（ｎ８）、再度明部電位ＶＬｔｘが目標電位になるように追い込む。
【００６６】
以上のｎ１〜ｎ８までの文字モード用シーケンスは従来例と同じやり方である。
【００６７】
続いて、写真モード用の帯電量及び露光量を決定しなければならない。従来例では文字モードと基本的に同様のシーケンスを用いていた。本実施の形態では、調整のための測定や帯電量及び露光量の調整というものを一切設けないで写真モードの帯電量及び露光量を決定している。
【００６８】
まず、文字モードで調整した一次帯電器４の印加電圧に、所定の比例定数αとの積をとるだけで、写真モードでの一次帯電器４の印加電圧とする（ｎ１１）。
【００６９】
次に、文字モードで調整した原稿照明ランプ２２の印加電圧に、所定の比例定数γとの積をとるだけで、写真モードでの原稿照明ランプ２２の印加電圧とする（ｎ１２）。
【００７０】
僅かこれだけのシーケンスを加えることで写真モード用の暗部電位ＶＤｐｈと明部電位ＶＬｐｈを作成することが可能となるのである。
【００７１】
図６は一次帯電器４に印加する電圧に対する感光ドラム２上の暗部電位の関係を示した図である。図６（ａ）は一次帯電器４の状態や感光ドラム２の状態により比較的暗部電位が上昇しない条件での結果であり、図６（ｂ）は図６（ａ）に比べ暗部電位が上昇しやすい条件での結果である。
【００７２】
ここでの一次帯電器４の状態とは、一次帯電器４の帯電部材と感光ドラム２との距離や帯電部材の汚れや不図示のグリッドの印加バイアス等が考えられ、感光ドラム２の状態とは帯電能の差がある場合である。図６（ａ）及び（ｂ）においてそれぞれの放電開始電圧は異なるが、画像出力装置の実力上、図６（ｂ）の方が図６（ａ）よりも小さな値を示す。
【００７３】
結果として、２種類の暗部電位ＶＤｔｘ及びＶＤｐｈを得るのに必要な一次帯電器４の印加電圧は図６（ａ）及び（ｂ）で当然異なるが、ＶＤｔｘからＶＤｐｈを得るのに必要な印加電圧の比率は図６のα及びβで示しているものの、事実上α≒βの関係にある。
【００７４】
したがって、ＶＤｔｘを得るのに必要な一次帯電器４の印加電圧を調整した後に、これに対してα（≒β）倍さえ行った値を印加すれば、ＶＤｐｈを目標の暗部電位に比較的近い形で感光ドラム上に作成することが可能となる。
【００７５】
図７は暗部電位ＶＤｔｘ及びＶＤｐｈを感光ドラム２上に作成した状態で、原稿照明ランプ２２の印加電圧を変化させた場合の感光ドラム２上の電位を示した図である。図７（ａ）は原稿照明ランプ２２の状態や感光ドラム２の状態により電位が比較的落ちにくい条件での結果であり、図７（ｂ）は図７（ａ）に比べ電位が落ちやすい条件での結果である。
【００７６】
ここでの原稿照明ランプ２２の状態とは、原稿照明ランプ２２の効率の違いや劣化状態による光量の多寡が考えられ、感光ドラム２の状態とは感度の差がある場合である。
【００７７】
明部電位を得るための原稿照明ランプ２２の印加電圧の比率を測定してみると、それぞれの原稿照明ランプ２２の印加電圧は図７（ａ）及び（ｂ）で当然異なるが、暗部電位がＶＤｔｘの場合に対するＶＤｐｈの場合の原稿照明ランプの比率は図７のγ及びδで示しているものの、事実上γ≒δの関係にある。
【００７８】
したがって、暗部電位ＶＤｔｘから明部電位ＶＬｔｘを得るのに必要な原稿照明ランプの印加電圧を調整した後に、これに対してγ（≒δ）倍さえ行った値を印加すれば、ＶＤｐｈでのＶＬｐｈを目標の明部電位に比較的近い形で感光ドラム２上に作成することが可能となる。
【００７９】
図８は前述の従来例と本実施の形態との差異を説明するものである。前述したように従来例では２種類の画像モードにおいて、一次帯電器４の印加電圧及び原稿照明ランプ２２の印加電圧をそれぞれ２〜３秒の時間をかけて調整するため、トータルの電位制御時間は１０秒前後かかってしまう。
【００８０】
しかし、本実施の形態では、写真モード用調整は文字モード用調整からの比例定数の演算のみであり、調整行為は行わず、時間もほとんど費やさない。
【００８１】
したがって、本実施の形態では、トータルの電位制御（画像モード制御）の時間は従来例に比べて半減することが可能となる。
【００８２】
なお、本実施の形態では２種類の画像モードでの比較であったが、当然３種類以上の場合にも有効で、種類が増すごとに改善率は上がることになる。
【００８３】
また、本実施の形態では、どちらの画像モードも同じ明部電位であったが、異なる明部電位であっても一向に差し支えなく効果が得られるものであり、一次帯電器４の印加電圧や原稿照明ランプ２２の印加電圧のいづれか一方で電位を調整する場合も本発明に含まれる。
【００８４】
さらに、本実施の形態では、一次帯電器４の印加電圧や原稿照明ランプ２２の印加電圧を変更することで、暗部電位や明部電位を作成していたが、一次帯電器４の電流値や不図示のグリッド電圧を変更しても差し支えなく、原稿照明ランプ２２も露光量の調整が可能ならば印加電圧以外の手段で変更しも差し支えない。
【００８５】
また、一次帯電器４の帯電量や原稿照明ランプ２２の露光量を調整できる図２
【００８６】
（第２の実施の形態）
図９〜図１５を参照して、第２の実施の形態について説明する。図９に、本実施の形態にかかる画像形成装置の一例としてのプリンタの概略を図示する。
【００８７】
このプリンタは、装置本体１０１のほば中央に、電子写真感光体として円筒状の感光ドラム１０２を備えている。
【００８８】
感光ドラム１０２は、装置本体１０１によって矢印Ｒ１方向に回転自在に支持されており、感光ドラム１０２の周囲には、その回転方向に沿って順に、感光ドラム１０２上の電位を消去する除電器１０３、感光ドラム１０２表面を一様に帯電する帯電手段としての一次帯電器１０４、感光ドラム１０２表面を露光して静電潜像を形成する露光手段１０５、露光後の感光ドラム１０２上の電位を測定する電位検知手段としての電位センサ１０６、静電潜像に現像剤としてのトナーを付着させてトナー像を形成する現像手段としての現像器１０７、転写材Ｐ上にトナー像を転写する転写帯電器１０８、転写材Ｐを感光ドラム１０２から分離する分離帯電器１０９、感光ドラム１０２上の残留トナーを除去するクリーナ１１０が配置されている。
【００８９】
トナー像の転写先となる転写材Ｐは、給紙デッキ１１１から供給される。感光ドラム１０２の下方、つまり装置本体１０１内側の下部には、転写材Ｐを収納する給紙デッキ１１１が配置されている。
【００９０】
給紙デッキ１１１内の転写材Ｐは、給紙ローラ１１２によって給紙され、搬送ローラ１１３、レジストローラ１１５を介して、感光ドラム１０２と転写帯電器１０８との間に供給される。転写材Ｐは、ここで感光ドラム１０２からトナー像を転写され、搬送ベルト１１６によって、定着器１１７に搬送される。
【００９１】
定着器１１７で付与される熱及び圧力によりトナー像が固着された転写材Ｐは、最終的に画像が定着されたものとして、排紙ローラ１１９によって排紙トレイ１２０上に排紙される。
【００９２】
上述のプリンタにおいては、露光手段１０６は、半導体レーザ１３０から画像信号に応じて照射されたレーザビームがポリゴンミラー１３１により走査され、結像レンズ１３２及び反射ミラー１３３を介して感光ドラム１０２に導かれる。
【００９３】
図１０は、感光ドラム１０２上の電位を測定するための制御基板周辺の電気構成を概略説明する図である。図１０において、制御基板内には制御プログラムの記述されたＲＯＭと、プログラム上の必要データの一時記憶素子であるＲＡＭと、が処理の中心素子であるＣＰＵに接続されている。
【００９４】
また、インターフェイス素子であるＩ／０と、データの変換素子であるＡ／Ｄ変換器及びＤ／Ａ変換器が外部の周辺機器と接続され、制御基板へ情報が入出力される。そして本実施の形態の周辺機器として、電位センサ１０６が帯電及び露光後の感光ドラム１０２上の電位を測定することが可能となっている。
【００９５】
そして、電位センサ１０６の検知結果から一次帯電器１０４の印加電圧と半導体レーザの印加電圧とを制御することが可能となっている。
【００９６】
図１１は感光ドラム１０２上の設定電位を２種類有する場合を模式的に表わしたものである。２種類の設定電位は２通りの画像モードを示し、プリンタモード（添え字ｐｒ）とコピーモード（添え字ｃｐ）を有している。
【００９７】
この場合、暗部電位ＶＤｐｒ及びＶＤｃｐはレーザを消灯した場合の感光ドラム１０２上の電位を示しており、明部電位ＶＬｐｒ及びＶＬｃｐはレーザを点灯した場合の感光ドラム上電位を示している。
【００９８】
プリンタモードは、原稿というものがなく、代わりに電子情報が元画像であるので視認性をよくするため一般的に比較的濃い目の再現がなされる。そのため、暗部電位ＶＤｐｒを４８０Ｖ、明部電位ＶＬｐｒを４０Ｖと比較的多めの潜像コントラストを設定目標にしている。
【００９９】
コピーモードは、原稿が存在するためできるだけ原稿に近い再現性を要求される。そのため、暗部電位ＶＤｃｐはプリンタモードよりも低い４００Ｖ、明部電位ＶＬｃｐを５０Ｖと比較的少な目の潜像コントラストを設定目標としている。
【０１００】
図１２，１３，１４は本実施の形態における電位制御（画像モード制御）を実行するタイミングのフローチャートである。
【０１０１】
図１２において、まず、画像形成装置の電源投入直後であるかを判断する（ｓ０）。この時電源投入直後の場合には、図４で示した従来シーケンスと類似した電位制御を実行する。この画像形成装置の立ち上げ中には、図９で示した定着器１１７を加熱する時間が数十秒〜数分間あり、この問に従来通りの電位制御を実行しても、そもそも定着器１１７の昇温時間という待ち時間のためになんら問題を生じることはない。
【０１０２】
電源投入直後の場合の電位制御では、図１３に示すように、半導体レーザを消灯し、一次帯電器１０４に所定の電圧を印加して初期の暗部電位ＶＤｐｒを作る（ｓ１）。
【０１０３】
初期の印加電圧は所定値でもよいし、前回制御時の電圧値でもよい。この暗部電位ＶＤｐｒを一次帯電器１０４の感光ドラム１０２の下流側にある電位センサ１０６で測定し（ｓ２）、図１１に示したような目標の暗部電位ＶＤｐｒである４８０Ｖ±３Ｖになったかを確認する（ｓ３）。
【０１０４】
４８０Ｖ±３Ｖの範囲になければ、一次帯電器１０４の印加電圧を増減して（ｓ４）、再度暗部電位ＶＤｐｒが目標電位になるように追い込む。
【０１０５】
この結果として、一次帯電器１０４の印加電圧における電流量、即ち帯電量Ｉｐｒを、記憶素子であるＲＡＭに保存しておく（ｓ５）。
【０１０６】
次に、上記シーケンスで追い込まれた一次帯電器１０４の印加電圧にて感光ドラム１０２を帯電しながら、半導体レーザを点灯して、感光ドラム１０２上に明部電位ＶＬｐｒを作成する（ｓ６）。
【０１０７】
この時の半導体レーザに印加する電圧も所定値でもよいし、前回制御時の電圧値でもよい。この明部電位ＶＬｐｒを電位センサ１０６で測定し（ｓ７）、図１１に示したような目標の明部電位ＶＬｐｒである４０Ｖ±３Ｖになったかを確認する（ｓ８）。
【０１０８】
４０Ｖ±３Ｖの範囲になければ、半導体レーザの印加電圧を増減して（ｓ９）、再度明部電位ＶＬｐｒが目標電位になるように追い込む。
【０１０９】
この結果として、半導体レーザの露光量Ｅｐｒを、記憶素子であるＲＡＭに保存しておく（ｓ１０）。
【０１１０】
続いて、コピーモード用の帯電量及び露光量を調整しなければならない。まず、半導体レーザを消灯し、一次帯電器１０４に所定の電圧を印加して初期の暗部電位ＶＤｃｐを作る（ｓ１１）。
【０１１１】
初期の印加電圧は所定値でもよいし、前回制御時の電圧値でもよい。この暗部電位ＶＤｃｐを一次帯電器１０４の感光ドラム１０２の下流側にある電位センサ１０６で測定し（ｓ１２）、図１１に示したような目標の暗部電位ＶＤｃｐである４００Ｖ±３Ｖになったかを確認する（ｓ１３）。
【０１１２】
４００Ｖ±３Ｖの範囲になければ、一次帯電器１０４の印加電圧を増減して（ｓ１４）、再度暗部電位ＶＤｃｐが目標電位になるように追い込む。
【０１１３】
この結果として、一次帯電器１０４の印加電圧における電流量、即ち帯電量Ｉｃｐを、記憶素子であるＲＡＭに保存しておく（ｓ１５）。
【０１１４】
さらに、上記シーケンスで追い込まれた一次帯電器１０４の印加電圧にて感光ドラム１０２を帯電しながら、半導体レーザを点灯して、感光ドラム１０２上に明部電位ＶＬｃｐを作成する（ｓ１６）。
【０１１５】
この時の半導体レーザに印加する電圧も所定値でもよいし、前回制御時の電圧値でもよい。この明部電位ＶＬｃｐを電位センサ１０６で測定し（ｓ１７）、図１１に示したような目標の明部電位ＶＬｃｐである５０Ｖ±３Ｖになったかを確認する（ｓ１８）。
【０１１６】
５０Ｖ±３Ｖの範囲になければ、半導体レーザの印加電圧を増減して（ｓ１９）、再度明部電位ＶＬｃｐが目標電位になるように追い込む。
【０１１７】
この結果として、半導体レーザの露光量Ｅｃｐを、記憶素子であるＲＡＭに保存しておく（ｓ２０）。
【０１１８】
以上のように従来技術と類似した電位制御（画像モード制御）のシーケンスを実行することになるが、本実施の形態では予めプリンタモード及びコピーモードそれぞれの帯電量及び露光量を記憶素子であるＲＡＭに保持されている。
【０１１９】
そこで本実施の形態では、それぞれの画像モードにおける帯電量の比率ηＩを求め、記憶素子であるＲＡＭに保存し（ｓ２１）、それぞれの画像モードにおける露光量の比率ηＥを求め、同じく記憶素子であるＲＡＭに保存する（ｓ２２）。
【０１２０】
この時帯電量の比率ηＩと露光量の比率ηＥは
ηＩ＝Ｉｃｐ／Ｉｐｒ
ηＥ＝Ｅｃｐ／Ｅｐｒ
以上の式で定義される。
【０１２１】
ここで、Ｉｃｐはコピーモード用の帯電量、Ｉｐｒはプリンタモード用の帯電量、Ｅｃｐはコピーモード用の露光量、Ｅｐｒはプリンタモード用の露光量である。
【０１２２】
続いて電位制御（画像モード制御）を実行するタイミングのフローチャートにおいて、画像形成装置本体の電源が投入されてから、１０分経過あるいは６０分経過後の最初の画像出力時に実行される場合（画像モード制御手段）について、図１４を用いて説明する。
【０１２３】
この図１４の場合の電位制御では、まずプリンタモード用の電位制御を実行する。始めに半導体レーザを消灯し、一次帯電器１０４に所定の電圧を印加して初期の暗部電位ＶＤｐｒを作る（ｓ３１）。
【０１２４】
初期の印加電圧は所定値でもよいし、前回制御時の電圧値でもよい。この暗部電位ＶＤｐｒを一次帯電器１０４の感光ドラム１０２の下流側にある電位センサ１０６で測定し（ｓ３２）、図１１に示したような目標の暗部電位ＶＤｐｒである４８０Ｖ±３Ｖになったかを確認する（ｓ３３）。
【０１２５】
４８０Ｖ±３Ｖの範囲になければ、一次帯電器１０４の印加電圧を増減して（ｓ３４）、再度暗部電位ＶＤｐｒが目標電位になるように追い込む。
【０１２６】
この結果として、一次帯電器１０４の印加電圧における電流量、即ち帯電量Ｉ２ｐｒを、記憶素子であるＲＡＭに保存しておく（ｓ３５）。
【０１２７】
帯電量Ｉ２ｐｒは時間的に変動して電源投入時の帯電量Ｉｐｒと異なる値になることが多く、このために時間経過後の電位制御が必要となるのである。
【０１２８】
次に、上記シーケンスで追い込まれた一次帯電器１０４の印加電圧にて感光ドラム１０２を帯電しながら、半導体レーザを点灯して、感光ドラム１０２上に明部電位ＶＬｐｒを作成する（ｓ３６）。
【０１２９】
この時の半導体レーザに印加する電圧も所定値でもよいし、前回制御時の電圧値でもよい。この明部電位ＶＬｐｒを電位センサ１０６で測定し（ｓ３７）、図１１に示したような目標の明部電位ＶＬｐｒである４０Ｖ±３Ｖになったかを確認する（ｓ３８）。
【０１３０】
４０Ｖ±３Ｖの範囲になければ、半導体レーザの印加電圧を増減して（ｓ３９）、再度明部電位ＶＬｐｒが目標電位になるように追い込む。
【０１３１】
この結果として、半導体レーザの露光量Ｅ２ｐｒを、記憶素子であるＲＡＭに保存しておく（ｓ４０）。
【０１３２】
露光量Ｅ２ｐｒは時間的に変動して電源投入時の露光量Ｅｐｒと異なる値になることが多く、このために時間経過後の電位制御が必要となるのである。
【０１３３】
以上説明したように、時間経過後の電位制御（画像モード制御）では、まずプリンタモード用の電位制御を実行した後、コピーモード用の電位を決定する。この時コピーモード用の帯電量と露光量は実際に電位センサ１０６で検知して調整するのではなく、演算により求める。
【０１３４】
即ち、
Ｉ２ｃｐ＝Ｉ２ｐｒ・ηＩ＝Ｉ２ｐｒ・（Ｉｃｐ／Ｉｐｒ）
Ｅ２ｃｐ＝Ｅ２ｐｒ・ηＥ＝Ｅ２ｐｒ・（Ｅｃｐ／Ｅｐｒ）
上記式により、コピーモード用の帯電量Ｉ２ｃｐと露光量Ｅ２ｃｐを決定する。
【０１３５】
上式から明らかように、時間経過後のコピーモード用の帯電量Ｉ２ｃｐは、先に決定したプリンタモード用の帯電量Ｉ２ｐｒと電源投入時のコピーモード用及びプリンタモード用の帯電量の比率ηＩとの積をとることで求める（ｓ４１）。
【０１３６】
また、時間経過後のコピーモード用の露光量Ｅ２ｃｐは、先に決定したプリンタモード用の露光量Ｅ２ｐｒと電源投入時のコピーモード用及びプリンタモード用の露光量の比率ηＥとの積をとることで求める（ｓ４２）。
【０１３７】
こうすることで、第１の実施の形態で示した比率α，γに代わる本体変動に強い高精度な電位制御が可能となる。
【０１３８】
図１５はデジタル式の露光手段を使いプリンタモード用とコピーモード用の２種類に変更した第１の実施の形態で説明した従来例（説明ではアナログ式で文字モードと写真モードの２種類だった）と、同じくデジタル式の露光手段を使いプリンタモード用とコピーモード用の２種類に変更した第１の実施の形態（説明ではアナログ式で文字モードと写真モードの２種類だった）と、本実施の形態の差異を説明するものである。
【０１３９】
繰り返すことになる上記３通りの方法はいづれも、デジタル式の露光手段でプリントモード用とコピーモード用の２種類の電位目標を持つ手段の比較である。
【０１４０】
図１５（ａ）は電源投入時の電位制御について比較したもので、図１５（ｂ）は源投入から１０分及び６０分経過後の画像出力時に実行される電位制御について比較したものである。
【０１４１】
図１５（ａ）において従来例と本実施の形態では、２種類の画像モードの一次帯電器の帯電量及び半導体レーザの露光量をそれぞれ２〜３秒の時間をかけて調整するため、トータルの電位制御時間は１０秒前後かかる。しかし、電源投入時は前述のように定着器の立ち上げ時間があるため、トータルの時間が多少長くなることは全く問題となるものではない。
【０１４２】
一方、図１５（ｂ）に示すように、時間経過後の電位制御は、トータルの電位制御時間はできるだけ短いことが好ましい。従来例ではこの点で完全に不利であり、プロダクティビティを低下させている。
【０１４３】
図１５（ｂ）に示す第１の実施の形態はトータルの時間に対しては有利であり、プロダクティビティの低下を抑制している。ただし、コピーモード用の電位は所定の比率により演算するため、制御後の絶対的な感光電位の精度は従来例よりもやや低下する点と、所定の比率を使うため画像形成装置本体間でのバラツキ実効値が大きく、合成されたバラツキは比較的大きなものとなる。
【０１４４】
ところが本実施の形態では、時間に余裕のある電源投入時にコピーモード用とプリンタモード用の帯電量及び露光量の比率を求め、それを使って、時間に余裕のない時間経過後にはコピーモード用の帯電量と露光量を算出するようにしているので、第１の実施の形態に比べて画像形成装置本体間でのバラツキが生じない。
【０１４５】
結果として合成されたバラツキは第１の実施の形態よりも改善されることになる。
【０１４６】
なお、何らかの理由で画像形成装置本体の電源が切断直後に再投入される場合は、例えば図９で示した定着器１１７の温度が常温ではなく比較的高い場合は、電源投入直後ではあるが、定着器１１７の立ち上げ時間がそれほどかからないので、従来シーケンスのような複数種類の電位制御を全て実行するのではなく、前回の電源遮断前に使用した本実施の形態の比率を用いたシーケンスを用いることで、よりユーザの使い勝手を向上することが可能となる。
【０１４７】
（第３の実施の形態）
図１６〜図１７を参照して、第３の実施の形態について説明する。第１、第２の実施の形態では、感光ドラムの暗部電位と明部電位を複数種類有する場合の電位制御について説明した。本実施の形態では、感光ドラムに帯電及び露光した後の現像器における現像電位の制御方法について説明する。
【０１４８】
現像器１０７は、図１６に示すように薄層コートしたトナー層（Ｓ２００）を有し、感光ドラム１０２に近接して回転する現像スリーブ２０１によって、帯電及び露光後の感光ドラム１０２上にトナーを付着させるものである。
【０１４９】
この際、トナーを付着させるために現像器１０７の現像スリーブ２０１には、高圧電源２０２が接続されている。通常、高圧電源２０２は直流成分と交流成分が重畳された電位である。
【０１５０】
この高圧電源２０２の交流成分のＶｐｐを操作したり、周波数を操作したりする場合もあり、直流成分の電位を操作する場合もあるが、本実施の形態では直流成分の電位を調整する画像形成装置について説明する。なお、前述したように高圧電源２０２の操作される対象は、Ｖｐｐであったり周波数であっても何ら差し支えない。
【０１５１】
また、本実施の形態は、第２の実施の形態に続いて、現像器１０７の制御として説明する。したがって、プリンタモード用の帯電量及び露光量と、コピーモード用の帯電量及び露光量が第２の実施の形態において決定されているとする。
【０１５２】
図１７は、第２の実施の形態で示したように決定されるべき上記の感光ドラム１０２上の電位に加え、現像器１０７の制御目標としての現像電位、即ち現像器１０７用高圧電源２０２の直流成分の値を示している。
【０１５３】
プリンタモードは、原稿というものがなく、代わりに電子情報が元画像であるので視認性をよくするため一般的に比較的濃い目の再現がなされる。そのため、現像電位Ｖｄｃｐｒは１５０Ｖを目標電位としている。
【０１５４】
コピーモードは、原稿が存在するためできるだけ原稿に近い再現性を要求される。そのため、現像電位Ｖｄｃｃｐはプリンタモードよりも高い１８０Ｖを目標電位としている。
【０１５５】
ところで、画像形成装置は暗部電位にトナーを付与するものと、明部電位にトナーを付与するものに大別される。このとき白地が形成されるのは、それぞれ明部電位であたったり、暗部電位であったりと異なることになる。本実施の形態での説明は明部電位を白地の電位（即ち白地電位）としているが、本発明の特性上暗部電位が白地電位であっても何ら問題ではない。
【０１５６】
一方、予め現像電位ＶｄｃｐｒとＶｄｃｃｐを固定として、それぞれ１５０Ｖ，１８０Ｖと決定しておくと、白地電位（ここでは明部電位）との差がばらつくため、画像カブリを生じてしまうことになる。
【０１５７】
そこで、明部電位が決定された後に白地電位にオフセット分を加えて常に白地電位との差、いわゆるカブリ取り電位を一定にすることで、画像カブリを防止することができる。
【０１５８】
オフセット分はプリンタモード用がＯＦｐｒ＝１１０Ｖ、コピーモード用がＯＦｃｐ＝１３０Ｖとしている。
【０１５９】
そこで、本実施の形態では画像形成装置本体の電源投入後の電位制御時に、プリンタモード用の明部電位ＶＬｐｒとコピーモード用の明部電位ＶＬｃｐを調整した後、それぞれの現像電位Ｖｄｃｐｒ，Ｖｄｃｃｐを
Ｖｄｃｐｒ＝ＶＬｐｒ＋ＯＦｐｒ
Ｖｄｃｃｐ＝ＶＬｃｐ＋ＯＦｃｐ
以上の演算により求めておく。
【０１６０】
この際コピーモード用の現像電位Ｖｄｃｃｐとプリンタモード用の現像電位Ｖｄｃｐｒと差分△Ｖｄｃを
△Ｖｄｃ＝Ｖｄｃｃｐ−Ｖｄｃｐｒ
上記式によって求めておき、記憶素子であるＲＡＭに保存する。
【０１６１】
そして、時間経過後の電位制御時には、第２の実施の形態に従い、プリンタモード用の帯電量Ｉ２ｐｒと露光量Ｅ２ｐｒからコピーモード用の帯電量Ｉ２ｃｐと露光量Ｅ２ｃｐを求めることになるが、さらに本実施の形態では現像電位Ｖｄｃ２ｐｒ，Ｖｄｃ２ｃｐを
Ｖｄｃ２ｐｒ＝ＶＬ２ｐｒ＋ＯＦｐｒ
Ｖｄｃ２ｃｐ＝Ｖｄｃ２ｐｒ＋△Ｖｄｃ
以上の式により算出している。
【０１６２】
上式において、プリンタモード用の現像電位Ｖｄｃ２ｐｒは実際に明部電位ＶＬ２ｐｒを測定しているので、電源投入時と同様、オフセット分を加えることにより求めている。一方、コピーモード用の現像電位Ｖｄｃ２ｃｐは、実際の明部電位ＶＬ２ｃｐは電位制御中に知ることができない。
【０１６３】
もちろん時間をかければ測定することが可能であるが、それではプロダクティビィティを低下させるので測定は行わない。
【０１６４】
そこで、調整し終わったプリンタモード用の現像電位Ｖｄｃ２ｐｒと、先の電振投入時に求めたコピーモード用の現像電位Ｖｄｃｃｐとプリンタモード用の現像電位Ｖｄｃｐｒとの差分△Ｖｄｃとの和を演算することで、コピーモード用の現像電位Ｖｄｃ２ｃｐを算出するようにしている。
【０１６５】
このようにすることで、現像電位を含めたトータル的な電位制御が可能となり、実際の出力画像の画質を左右する要素についてプロダクティビィティを低下させることなく、高精度に常に安定した画像形成装置を提供することが可能となっている。
【０１６６】
なお、本実施の形態では直流成分の電位を調整することができる画像形成装置について差分△Ｖｄｃを利用した説明を行った。しかし交流成分のＶｐｐであったり、周波数であってもなんら差し支えなく、その場合差分でなく比率で演算した方が推測精度が高い場合もあり、差分による演算に限定されるものではない。
【０１６７】
【発明の効果】
以上説明したように、本発明は、一つの画像モードの調整には実際の調整時間がかかるが、残りの画像モードの調整には時間がかからず、プロダクティビティを低下することなく画像モードの調整を行うことができる。
【図面の簡単な説明】
【図１】第１の実施の形態に係る画像形成装置の一例としての複写機を示す概略図である。
【図２】第１の実施の形態に係る感光ドラムの電位を測定するための制御基板周辺を示す電気構成概略図である。
【図３】２種類の感光ドラム上電位（画像モード）を示す模式図である。
【図４】従来例における電位制御シーケンスを示すフローチャートである。
【図５】第１の実施の形態に係る電位制御シーケンスを示すフローチャートである。
【図６】一次帯電器の印加電圧に対する感光ドラム上の暗部電位を示す説明図である。
【図７】異なる暗部電位を感光ドラムに作成した状態で、原稿照明ランプの印加電圧を変化させた場合の感光ドラム上の電位の説明図である。
【図８】第１の実施の形態と従来例との電位制御を比較した表図である。
【図９】第２の実施の形態に係る画像形成装置の一例としてのプリンタを示す概略図である。
【図１０】第２の実施の形態に係る感光ドラムの電位を測定するための制御基板周辺を示す電気構成概略図である。
【図１１】２種類の感光ドラム上電位（画像モード）を示す模式図である。
【図１２】第２の実施の形態に係る電位制御シーケンスを示すフローチャートである。
【図１３】第２の実施の形態に係る電位制御シーケンスを示すフローチャートである。
【図１４】第２の実施の形態に係る電位制御シーケンスを示すフローチャートである。
【図１５】第２の実施の形態と第１の実施の形態と従来例との電位制御を比較した表図である。
【図１６】第３の実施の形態に係る現像器を示す説明図である。
【図１７】２種類の感光ドラム上の電位、及び２種類の現像電位を示す模式図である。
【符号の説明】
２，１０２  感光ドラム
４，１０４一次帯電器
５，１０５  露光手段
６，１０６  電位センサ
７，１０７  現像器
２２  原稿照明ランプ
２８  標準白色板
１３０  半導体レーザ
２０２  高圧電源
ＶＤｔｘ  文字モードの暗部電位
ＶＤｐｈ  写真モードの暗部電位
ＶＬｔｘ  文字モードの明部電位
ＶＬｐｈ  写真モードの明部電位
α，β  一次帯電器における印加電圧の所定比率
γ，δ  原稿照明ランプにおける印加電圧の所定比率
ＶＤｐｒ，ＶＤ２ｐｒ  プリンタモード用暗部電位
ＶＤｃｐ，ＶＤ２ｃｐ  コピーモード用暗部電位
ＶＬｐｒ，ＶＬ２ｐｒ  プリンタモード用明部電位
ＶＬｃｐ，ＶＬ２ｃｐ  コピーモード用明部電位
ηＩ  一次帯電器による帯電量の比率
ηＥ  半導体レーザによる露光量の比率
ＯＦｐｒ  プリンタモード用現像電位のオフセット分
ＯＦｃｐ  コピーモード用現像電位のオフセット分
△Ｖｄｃ  コピーモード用の現像電位とプリンタモード用の現像電位の差分
【図１】
0003854773.tif 000002
【図２】
0003854773.tif 000003
【図３】
0003854773.tif 000004
【図４】
0003854773.tif 000005
【図５】
0003854773.tif 000006
【図６】
0003854773.tif 000007
【図７】
0003854773.tif 000008
【図８】
0003854773.tif 000009
【図９】
0003854773.tif 000010
【図１０】
0003854773.tif 000011
【図１１】
0003854773.tif 000012
【図１２】
0003854773.tif 000013
【図１３】
0003854773.tif 000014
【図１４】
0003854773.tif 000015
【図１５】
0003854773.tif 000016
【図１６】
0003854773.tif 000017
【図１７】
0003854773.tif 000018